(57)【特許請求の範囲】
【請求項１】
開口部の周縁部横側に設けられた収納部内に収納された状態から回転移動して前記周縁部に設けられた戸当たり部に接触して前記開口部の周縁部上側のラッチ受け部にラッチが挿入することによって、前記戸当たり部に停止固定すると共に前記開口部の一部分を仕切る遮蔽戸手段と、
前記開口部の周縁部上側に設けられた収納部内に収納された状態から前記周縁部上側に設けられた出入口部を通過して繰り出され、前記戸当たり部に接触停止後の前記遮蔽戸手段の側端部側に形成されている案内溝に沿って下降して、前記遮蔽戸手段によって仕切られなかった前記開口部の残りの部分を仕切る開閉体手段と、
前記ラッチ受け部内に設けられ、前記ラッチによって押し込まれることによって遮蔽戸閉鎖信号を出力するスイッチストライク手段と、
前記スイッチストライク手段から前記遮蔽戸閉鎖信号を入力した時点で前記開閉体手段を下降させる自動閉鎖手段と
を備えたことを特徴とする開閉体装置。
【請求項２】
請求項１に記載の開閉体装置において、前記遮蔽戸手段の回転移動開始後の所定時間内に前記スイッチストライク手段から前記遮蔽戸閉鎖信号を入力した場合は前記遮蔽戸閉鎖信号の入力に応じて前記開閉体手段を下降させ、前記遮蔽戸手段の回転移動開始後の前記所定時間内に前記スイッチストライク手段から前記遮蔽戸閉鎖信号を入力しなかった場合は前記所定時間経過後に前記開閉体手段を下降させる自動閉鎖手段を備えたことを特徴とする開閉体装置。
【発明の詳細な説明】
【技術分野】
【０００１】
本発明は、ビル、工場などの建物の出入口や大きな部屋、通路、ホール空間あるいは地下街などの構造物などの開口部を仕切るためのシート状、スラット状又はパネル状の防火カーテンなどの遮蔽部材と防火戸からなる開閉体装置に係り、特に遮蔽部材が防火戸の側端部の一部をガイドレールとして利用して開閉動作する開閉体装置に関する。
【背景技術】
【０００２】
一般に、床面積の大きいビル等の構築・構造物内部の通路やホール空間などには、火災発生時の延焼や煙の拡散を防止するために火災発生と同時に自動的に閉じるシート状、スラット状又はパネル状の防火カーテンなどの遮蔽部材を用いて、柱、壁、床などと共に３次元的に囲まれた空間、すなわち防火区画や防煙区画を形成するように動作する開閉体装置が備え付けられている。また、遮蔽部材の一部として防火戸などを用いることによって開口部を閉鎖するようにしたものもある。このようなシャッター装置には、火災以外の災害発生時や閉店時などに防火・防煙・防水・防風・防犯などのために開口部を仕切るために繰り出されるものもある。
【０００３】
最近では、図１に示すように開口部の両側端部にガイドレールを設けることなく、開口部の片側端部に設けられたガイドレール２１と隣接する防火戸１２の側端部にガイドレール２２の機能を持たせて、シャッターカーテン４をガイドレール２１と防火戸１２の側端部ガイドレール２２とに沿って閉鎖動作させるように構成された開閉体装置が提案されている。このように防火戸１２にガイドレール２２の機能を持たせた開閉体装置として、例えば、特許文献１，２に記載のようなものがある。
【先行技術文献】
【特許文献】
【０００４】
【特許文献１】実用新案登録番号第３０４３８９３号公報
【特許文献２】特開２００１−２２０９７３号公報
【発明の概要】
【発明が解決しようとする課題】
【０００５】
特許文献１に記載された開閉体装置は、床又は天井に設けた戸当り部に係止部を形成し、この係止部に係止する係止具を防火戸側に設けてある。また、防火戸の閉鎖動作に連動してシャッターカーテンを閉鎖作動させるための可動スイッチが戸当り部に設置してある。従って、防火戸が先に閉鎖して戸当たり部に当接し、係止具によって可動スイッチが押されることによってシャッターカーテンが閉鎖動作を開始するような構成になっている。
【０００６】
一方、特許文献２に記載された開閉体装置は、扉閉鎖確認信号を出力する閉鎖確認装置を規制部材に設けてある。従って、袖扉が規制部材に当接し、閉鎖確認装置のスイッチをＯＮすることによってシャッターカーテンが閉鎖動作を開始するような構成になっている。
【０００７】
ところが、特許文献１に記載の開閉体装置の場合、扉が閉鎖されて戸当たりに接触して、抑制手段が解除されることによって、係止具が扉内部から突出して係止部に係止するように構成されている。従って、抑制手段が戸当たりに接触しても解除されない場合や係止具が扉内部から突出しない場合が発生し、可動スイッチが押されることなく、シャッターカーテンの閉鎖動作を開始することができなくなるおそれがある。
【０００８】
また、特許文献２に記載の開閉体装置の場合、閉鎖確認装置のスイッチが袖扉の規制部材に設けてあるため、重量のある袖扉が規制部材に当接したときの衝撃や振動などによってスイッチに不具合が生じるおそれがある。このような構成の開閉体装置においては、防火戸が既に閉鎖しているにも係わらず可動スイッチを操作する機構が機械的な不具合によって動作しなかったり、又は衝撃や振動によって可動スイッチ自体が故障したりして、シャッターカーテンが閉鎖しない可能性があり、好ましくなかった。
【０００９】
さらに、このような構成の開閉体装置は、袖扉の閉鎖を確認した後にシャッターカーテンを降下するように連動動作制御を行なっているので、袖扉の閉鎖を確認するタイミングがシャッターカーテンの閉鎖開始タイミングを決定する重要な要因となっている。ところが、開閉体装置を開口部に設置した場合、開口部の形状や開閉体装置を構成する袖扉やシャッターカーテンの形状（規格）などに応じて、閉鎖確認装置のスイッチが袖扉の閉鎖を確認するタイミング及びシャッターカーテンの閉鎖開始タイミングがそれぞれの設置場所毎で異なるようになり、シャッターカーテンの実際の閉鎖状態とその閉鎖を開始するタイミングとが一致しなくなるおそれがある。例えば、防火戸が実際に閉鎖してないにも関わらずシャッターカーテンの閉鎖が開始した場合、シャッターカーテンの先端部が防火戸の上端面に接触停止して、開口部を閉鎖することできなかったり、また、シャッターカーテンが防火戸の側端部ガイドレールの案内溝に挿入されないまま閉鎖を開始してしまうという事例が発生する可能性があった。
【００１０】
本発明の目的は、ガイドレールを備えた防火戸が実際に閉鎖したことを検出し、検出後にシャッターカーテンの閉鎖を開始させることのできる開閉体装置を提供することにある。
【課題を解決するための手段】
【００１１】
本発明の開閉体装置の第１の特徴は、開口部の周縁部横側に設けられた収納部内に収納された状態から回転移動して前記周縁部に設けられた戸当たり部に接触して前記開口部の周縁部上側のラッチ受け部にラッチが挿入することによって、前記戸当たり部に停止固定すると共に前記開口部の一部分を仕切る遮蔽戸手段と、前記開口部の周縁部上側に設けられた収納部内に収納された状態から前記周縁部上側に設けられた出入口部を通過して繰り出され、前記戸当たり部に接触停止後の前記遮蔽戸手段の側端部側に形成されている案内溝に沿って下降して、前記遮蔽戸手段によって仕切られなかった前記開口部の残りの部分を仕切る開閉体手段と、前記ラッチ受け部内に設けられ、前記ラッチによって押し込まれることによって遮蔽戸閉鎖信号を出力するスイッチストライク手段と、前記スイッチストライク手段から前記遮蔽戸閉鎖信号を入力した時点で前記開閉体手段を下降させる自動閉鎖手段とを備えたことにある。
防火戸などの遮蔽戸手段は、ビル、住宅、工場、倉庫等の建物などの構造物における出入口となる開口部や窓部あるいは内部の通路や空間などの開口部の一部を仕切る（閉鎖する）ものである。この防火戸は、通常は開口部の周縁部横側に設けられた収納部に収納されている。災害発生時には、防火戸はこの周縁部横側に収納された状態から回転移動して周縁部の例えば上（天井）側又は下（床）側に設けられた戸当たり部に当接し、その際に開口部の周縁部上側のラッチ受け部に防火戸のラッチが挿入することによって、戸当たり部に停止固定され、開口部の一部を仕切るようになっている。開閉体手段であるシャッターカーテンは、開口部の片側端部に設けられた案内溝（ガイドレール）と隣接する防火戸の側端部に形成された案内溝（ガイドレール）部に沿って開口部の周縁部上側の出入口部を通過して繰り出され、防火戸によって仕切られなかった開口部の残りの部分を仕切る（閉鎖する）。ラッチ受け部内には、防火戸のラッチによって押し込まれることによって遮蔽戸閉鎖信号を出力するスイッチストライク手段が設けられている。従って、この発明では、防火戸が戸当たり部に当接することによって、このスイッチストライク手段から遮蔽戸閉鎖信号が出力されるので、自動閉鎖手段は、この遮蔽戸閉鎖信号を入力した時点で開閉体手段を下降させる。これによって、シャッターカーテンは防火戸が確実に閉鎖した時点以降に閉鎖するようになるので、シャッターカーテンの先端部はガイドレールである案内溝内に確実に挿入され、案内溝の内壁面に沿って閉鎖移動するようになる。この発明によれば、スイッチストライクから遮蔽戸閉鎖信号が出力されたということは、遮蔽戸が確実に閉鎖したことを意味するので、シャッターカーテンの閉鎖開始時を常に一定とすることが可能となる。さらに、スイッチストライクはドア閉鎖などを検出する部材として使用されていて信頼性が高く、重量のある袖扉が規制部材に当接したときの衝撃や振動などによってスイッチに不具合が生じる可能性が少ない。
【００１２】
本発明の開閉体装置の第２の特徴は、前記第１の特徴に記載の開閉体装置において、前記遮蔽戸手段の回転移動開始後の所定時間内に前記スイッチストライク手段から前記遮蔽戸閉鎖信号を入力した場合は前記遮蔽戸閉鎖信号の入力に応じて前記開閉体手段を下降させ、前記遮蔽戸手段の回転移動開始後の前記所定時間内に前記スイッチストライク手段から前記遮蔽戸閉鎖信号を入力しなかった場合は前記所定時間経過後に前記開閉体手段を下降させる自動閉鎖手段を備えたことにある。
この開閉体手段は、スイッチストライク手段から閉鎖確認信号を入力することによって開閉体手段の閉鎖動作を開始するような構成になっている。従って、防火戸が閉鎖しなかった場合、又は防火戸は閉鎖しているにも係わらずスイッチストライク手段からの閉鎖確認信号が断線などのため制御部である自動閉鎖手段に到達しなかった場合には、閉鎖確認信号を入力することができず、開閉体手段は閉鎖確認信号に応じて閉鎖しないことになる。そこで、この発明では、防火戸の回転移動開始後の所定時間内にスイッチストライク手段から遮蔽戸閉鎖信号を入力した場合は遮蔽戸閉鎖信号の入力に応じて開閉体手段を閉鎖させ、防火戸の回転移動開始後の所定時間内にスイッチストライク手段から遮蔽戸閉鎖信号を入力しなかった場合は所定時間経過後に防火戸の閉鎖状況にかかわらず開閉体手段を閉鎖させることとした。これによって、防火戸が閉鎖しなかった場合、又は防火戸は閉鎖しているにも係わらず遮蔽戸閉鎖信号が自動閉鎖手段に到達しなかった場合でも、開閉体手段を閉鎖することができるという効果がある。なお、防火戸が回転移動しなかった場合には、この回転移動の指示が発された時点を基準として所定時間を計測すればよい。なお、ここで防火戸の回転移動開始後には、防火戸が全く回転移動しなくても回転移動の指示が発せられた時点以降という意味を含むものである。
【発明の効果】
【００１３】
本発明の開閉体装置によれば、ガイドレールを備えた防火戸が実際に閉鎖したことを検出し、検出後にシャッターカーテンの閉鎖を開始させることができるという効果がある。
【図面の簡単な説明】
【００１４】
【図１】従来の開閉体装置の一例を示す図である。
【図２】本発明に係る開閉体装置である防火シャッター装置の概略構成を示す図である。
【図３】図２の防火戸の詳細構成を示す図である。
【図４】図３の防火戸とまぐさ上部の戸当たり、ラッチ受け部及び床面との関係を示す図である。
【図５】袖扉である防火戸とシャッターカーテンとが互いに連動して動作する袖扉連動動作フローの一例を示す図である。
【図６】袖扉である防火戸とシャッターカーテンとが互いに連動して動作する場合のさらに別の一例を示す図である。
【発明を実施するための形態】
【００１５】
以下、添付図面に従って本発明に係る開閉体装置の一例として防火シャッター装置について説明する。図２は、本発明に係る開閉体装置である防火シャッター装置の概略構成を示す図である。この防火シャッター装置は、通常は開閉機１がシャッターカーテン４を図示しない巻取り軸に巻き取るなどして開口部の周縁部の上部に設けられた収納部に収納した開放状態にある。なお、別例としてはシャッターカーテンを巻き取らずに収納部に収納して開放状態とするものもある。この開放状態はブレーキ２で機械的に保持されることによって維持されている。そして、自動閉鎖装置３は、火災発生時には、連動中継器５を介して入力される感知器１５（または感知器を接続した連動制御器や防災盤など）からの防災信号ＢＳや電動開閉用操作部７（非常用シャッター閉鎖ボタンを含む）の操作信号に応じて、ブレーキ２による開放状態の保持を解除し、シャッターカーテン４を自重で自然降下により収納部から繰り出させることによって、開口部を閉鎖し（仕切り）、所定の防火区画を形成するようになっている。
【００１６】
連動中継器に対して防災信号ＢＳを出力する感知器１５や感知器を接続した連動制御器や防災盤などは、設置環境などにより適宜選択されて設けられる。複数の感知器などが設けられても良いが、複数の内一つ以上の感知器などが感知した場合に複数の防災ＢＳの感知に応じた数の防災信号が連動中継器に入力されるようにしてもよいし、複数の内一つ以上の感知器などが感知した場合に単一の防災信号ＢＳが連動中継器に入力されるようにしても良い。なお、防災盤や感知器を接続した連動制御器から出力される防災信号ＢＳは直流２４Ｖなど有電圧信号である場合が多いが、感知器から出力される防災信号ＢＳは無電圧信号である場合が多いので、連動中継器は入力される防災信号ＢＳに適宜対応できるように構成されている。
【００１７】
開閉機１は、シャッターカーテン４を電動で開放、閉鎖するための駆動モータである。なお、シャッターカーテン４を開閉させる必要がない通常時には、図示のような駆動源である開閉機１とブレーキ２とで構成しなくても、ブレーキ２のみで構成するようにしても良い。連動中継器５は、防災信号ＢＳの入力があった場合、自動閉鎖装置３に有電圧信号である直流２４Ｖ信号を出力するものである。連動中継器５は、通常は、商用電源１６を使用して直流２４Ｖ信号を出力するが、停電時などには連動中継器５に内蔵されている予備電源（蓄電池などのバッテリー）からの電力によって直流２４Ｖ信号を出力する。
【００１８】
自動閉鎖装置３は、従来の防火シャッター等に用いられる既知の自動閉鎖装置のように連動中継器５を介して供給される商用電源１６又は連動中継器５に内蔵されている予備電源（蓄電池）からの電力（直流２４Ｖ信号）に応じて動作する。また、自動閉鎖装置３は、シャッター用予備電源を内蔵する連動中継器５から供給される２４Ｖ信号の電力を用いて動作することにより、火災発生時に防火シャッター装置１０に対する商用電源の供給がなくとも、感知器１５などから入力される防災信号ＢＳに基づきブレーキ２を解放し、巻取り状態にある防火構造のシャッターカーテン４を自重で下降させ自動的に開口部を閉鎖することができるようになっている。
【００１９】
電動開閉用操作部７は、主にシャッター電動開閉駆動用の開閉機を操作したり、連動中継器に防災信号ＢＳが入力したときと同様の動作をさせるための起動信号を手動で入力させるものである。電動開閉用操作部７には、開閉機１へのシャッターカーテン開閉停の指示に対応した平常時操作用の入力スイッチ（押しボタンスイッチ）と、非常用シャッター閉鎖ボタンである作動ボタン、復旧ボタン及び電池試験ボタンなどを備え、さらに電池試験結果を表示したり、予備電源の状態を表示したり、コード断線状態を表示したりする種々の表示手段を備えている。図２では防火戸１２の上側に電動開閉用操作部７が図示してあるが、実際は防火戸１２近くの躯体側などの人が操作可能な位置に設置されている。電動開閉用操作部７の特に作動ボタンは、樹脂製の透明パネル（押し破りキャップ）に覆われ、非常時にこの樹脂製の透明パネルを押し込むことによって、操作可能に構成された非常用シャッター閉鎖ボタン（作動ボタン）を備えている。
【００２０】
この防火シャッター装置１０には、開閉中に障害物への接触を検出する障害物感知装置が設けられている。障害物感知装置は、図示のようにシャッターカーテン４の下端の座板上に設けられた座板スイッチ９と、シャッターカーテン４の収納ボックス内に設けられた有線式障害物感知装置１７と、これらの間を電気的に接続する信号コード１１とによって構成される。座板スイッチ９は、シャッターカーテン４の座板に取り付けてあり、この座板が人や物などの障害物に接触することによって接点の閉じるマイクロスイッチを内蔵しており、この接点が閉じた場合にそれを感知信号として有線式障害物感知装置１７に信号コード１１を介して有線方式で送信する。信号コード１１は、座板スイッチ９の感知信号を有線式障害物感知装置１７に伝送するケーブルである。このケーブルは、コードリールや移動式プーリー等により収納したりガイドしたりすることによって、シャッターカーテン４の開閉を阻害する撓みを生じないようにしている。
【００２１】
有線式障害物感知装置１７は、通常時は商用電源により動作し、座板スイッチ９からの感知信号の入力に応じて開閉機１の動作を制御し、さらに少なくとも火災発生時など非常時には、座板スイッチ９からの障害物感知信号を自動閉鎖装置３へスルー出力するものである。自動閉鎖装置３は、この有線式障害物感知装置１７からの障害物感知信号の入力に応じてシャッターカーテン４の閉動作を停止してその回避動作を行うようになっている。従って、火災発生時にシャッターカーテン４が自重下降している際に座板などが障害物に接触し、座板スイッチ９から感知信号が検出された場合に、シャッターカーテン４の自重下降を停止してその回避動作を行うようになっている。すなわち、有線式障害物感知装置１７は、通常時、シャッターカーテン４が下降中に障害物感知信号を入力した場合、シャッターカーテン４の下降動作を停止し、一定時間だけ上昇させるという制御を行う。一方、有線式障害物感知装置１７は、防災発生時などのように自動閉鎖装置３が起動して、シャッターカーテン４が下降中に、障害物感知信号を入力した場合には、その障害物感知信号を自動閉鎖装置３にスルー出力し、自動閉鎖装置３の動作を停止させ、開閉機１のブレーキ２の解放状態を戻して、一旦、シャッターカーテン４を停止させるという制御を行う。
【００２２】
シャッターカーテン４に併設して防火戸１２を備える防火シャッター装置の一般的な構成では、シャッターカーテン４の両サイドに、開口部側端部に設けられるガイドレールと、シャッターカーテンと防火戸との間の開口部に設けられる中柱と呼ばれるガイドレールとが存在する。この実施の形態では、シャッターカーテン４の片側（図の左側）にガイドレール２１が設けられているが、中柱は存在せず、防火戸１２の側端部の一部に凹状の溝部を設けそれをガイドレール２２として利用している。従って、この実施の形態に係る開閉体装置の場合、防火戸１２が回転可動して閉鎖した（仕切った）状態にならないと、シャッターカーテン４の両サイドにガイドレールが存在しないこととなる。
【００２３】
防火戸１２は平常時には図示していない防火戸用自動閉鎖装置により開放状態となるように戸袋等に拘束収納されているが、防火戸用自動閉鎖装置により拘束を解かれると、自重（所謂グラビティーヒンジ使用など）やばね力（クローザー使用など）などの付勢力により閉鎖するように構成されている。防火戸用自動閉鎖装置は、連動中継器５に設けられた外部機器電源供給端子（２４ボルト出力端子：端子２４−０）に電気的に接続されており、危害防止連動中継器が起動信号の入力に応じて外部機器電源供給端子から２４［Ｖ］の電圧を防火戸用自動閉鎖装置へ有電圧信号として出力するとその電力を用いて防火戸１２の拘束を解き、防火戸１２を閉鎖させる。また、防火戸用自動閉鎖装置に防火戸用手動閉鎖装置（非常用閉鎖指示手段）が接続されている場合は、防火戸用手動閉鎖装置の操作によっても、防火戸用自動閉鎖装置は、防火戸１２の拘束を解き、防火戸１２を閉鎖させることもできる。防火戸用自動閉鎖装置は、電気的に防火戸用自動閉鎖装置へ閉鎖指示信号を出力するものであっても機械的に作用して防火戸用自動閉鎖装置を作動させるものであってもよい。
【００２４】
防火戸１２は、防火戸本体とガイドレール２２と潜り戸１２１とから構成されており、通常は、開口部側面に設けられた戸袋に収納され、防災信号ＢＳや電動開閉用操作部７（非常用シャッター閉鎖ボタンを含む）の操作信号に応じてシャッターカーテン４の閉鎖動作前に戸袋から脱出し、開口部の一部を塞ぐように回転移動してまぐさ上部の戸当たりに当接して停止する。防火戸１２は、常時開放式のものであり、通常は開口部側面の柱や壁などに設けられた戸袋等に収納されている。この常時開放式の防火戸１２には、閉鎖した防火戸に別途設けられた潜り戸１２１によって避難通路が確保されるようになっている。なお、図示していないが、ガイドレール２２とシャッターカーテン４の勘合部分には、ガラスクロス材やクロロプレンゴム材等からなる気密材が、また、防火戸１２と柱との勘合部分にも、ガラスクロス材やクロロプレンゴム材等からなる気密材が、それぞれ取り付けられている。これによって、防火戸１２のガイドレール２２とシャッターカーテン４との間の隙間、及び防火戸１２と柱との間の隙間がそれぞれ塞がれ、煙の漏れを防止することができる。なお、ゴム材に代えて気密材を設けてもよく、気密材に代えてゴム材を設けてもよい。
【００２５】
図３は、図２の防火戸の詳細構成を示す図である。防火戸１２は、図３に示すように、ドアノブ１２３の扉開放操作（回転操作）に対応して解錠されるラッチ１２４をその上端（天端）に有する。ラッチ１２４は、伝達駆動機構１２５を介してドアノブ１２３に連結されている。このラッチ１２４がラッチ受け部３１の凹部内に挿入することによって、防火戸１２はまぐさ上部の戸当たりに固定され、風圧などを受けても開くことはない。図３に示すように、潜り戸１２１にもドアノブ１２２が存在しているが、この潜り戸１２１のラッチ（図示せず）は通常のドアと同様に側面に存在しており、このラッチによって防火戸１２に固定されるようになっている。
【００２６】
この実施の形態に係る開閉体装置の場合、遮蔽戸手段として設けられた袖扉である防火戸１２の閉鎖動作に連動してシャッターカーテン４を閉鎖作動させるための閉鎖確認用スイッチとなるスイッチストライクで、上枠となる戸当たりに設けられている凹状のラッチ受け部３１を構成している。すなわち、ラッチ受け部３１は防火戸１２のラッチ１２４の動きを施解錠信号として出力するスイッチストライクで構成される。このスイッチストライクは、トロヨケの中にマイクロスイッチが組込まれており、防火戸１２のラッチ１２４の動きを接点信号に変えて、開閉機１に出力する。これによって、防火戸１２が閉鎖し、防火戸１２のラッチ１２４がラッチ受け部（スイッチストライク）３１の凹部に挿入し、上部の戸当たりに固定された時点で、閉鎖確認用スイッチであるラッチ受け部（スイッチストライク）３１から閉鎖確認信号が出力されるので、シャッターカーテン４は閉鎖動作を開始する。閉鎖確認用スイッチであるラッチ受け部（スイッチストライク）３１から出力される閉鎖確認信号は、ガイドレール２２の近傍を通って、シャッターカーテン４と干渉しない位置を通過して開閉機１及び自動閉鎖裝置３などの制御部に導入されている。
【００２７】
図４は、図３の防火戸とまぐさ上部の戸当たり、ラッチ受け部及び床面との関係を示す図であり、図４（Ａ）は、防火戸１２が回転移動してまぐさ上部の戸当たりに当接する直前の状態を防火戸１２の回転軸側から見た図であり、図４（Ｂ）は、防火戸１２が閉鎖し、防火戸１２のラッチ１２４がラッチ受け部（スイッチストライク）３１の凹部に挿入した状態を防火戸１２の回転軸側から見た図である。防火戸１２は、図３に示すように、ドアノブ１２３の扉開放操作（回転操作）に対応して解錠されるラッチ１２４をその上端（天端）に有する。図４（Ａ）に示すように、防火戸１２の閉鎖時にラッチ１２４は、まぐさ上部の戸当たり３０に接触して防火戸１２側に押し込まれながらラッチ受け部３１の凹部側に移動する。図４（Ｂ）に示すように、ラッチ１２４がラッチ受け部３１の凹部に到達すると、その時点でラッチ１２４は元の状態に戻ろうとしてラッチ受け部３１の凹部内に挿入移動する。これによって、ラッチ受け部３１のストライク部３１ａが押し込まれるようになり、これに伴ってストライク部３１ａのマイクロスイッチの接点がオンし、閉鎖確認信号が出力されると共に防火戸１２のラッチ１２４はラッチ受け部３１の凹部に挿入し、戸当たりに固定されるようになる。
【００２８】
図５は、袖扉である防火戸とシャッターカーテンとが互いに連動して動作する袖扉連動動作フローの一例を示す図である。まず、ステップ５１では、連動中継器５は待機状態にある。ステップ５２では、連動中継器５は、防災信号ＢＳまたは起動信号が入力されたか否かの判定の行い、入力された（ｙｅｓ）場合は次のステップ５３以降に進み、入力されない（ｎｏ）場合はステップ５１にリターンし、起動信号が入力されるまで、ステップ５１，５２の処理を繰り返し実行する。ここで起動信号の種類として、防災信号ＢＳ、電動開閉用操作部起動スイッチからの信号、連動中継器５に設けられた点検用の起動スイッチからの信号、起動信号を離れた場所から送信する場合や複数の防災シャッター装置に一斉送信する場合などに接続されることのある外部起動スイッチからの信号などが対応する。なお、ステップ５２では、起動信号が入力されたことを判定する代わりに、起動信号の入力に応じて閉鎖する袖扉（防火戸１２）の閉鎖動作開始を図示しない袖扉状態感知手段により感知したかどうかを判定するようにしてもよい。ステップ５３では、連動中継器５に設けられた外部機器電源供給端子（２４ボルト出力端子：端子２４−０）から２４［Ｖ］の電圧を出力し、防火戸を閉鎖して袖扉連動待機状態に設定すると共に６０秒タイマをスタートさせる。
【００２９】
ステップ５４では、防火戸１２の閉鎖によってラッチ受け部３１のスイッチストライク３１ａから閉鎖確認信号が入力されたか否かの判定を行い、入力された（ｙｅｓ）場合は次のステップ５５に進み、入力されない（ｎｏ）場合はステップ５６に進む。ステップ５５では、ラッチ受け部３１のスイッチストライク３１ａから閉鎖確認信号が入力されたので、６０秒タイマのカウントを停止する。ステップ５６では、ラッチ受け部３１のスイッチストライク３１ａから閉鎖確認信号が入力されていないと判定されたので、ステップ５３でスタートされた６０秒タイマがカウントアップしたか否かの判定を行い、カウントアップした（ｙｅｓ）場合はステップ５７に進み、カウントアップしていない（ｎｏ）場合はステップ５４にリターンし、カウントアップするまで、ステップ５４，５６の処理を繰り返し実行する。
【００３０】
ステップ５７では、ステップ５４で防火戸１２の閉鎖によってラッチ受け部３１のスイッチストライク３１ａから閉鎖確認信号が入力された（ｙｅｓ）場合、又はステップ５６で６０秒タイマがカウントアップしたと判定された場合に実行される処理であり、自動閉鎖装置３を起動させ、シャッターカーテンの自動閉鎖処理を実行させる。このように、上述の袖扉連動動作フローでは、ラッチ受け部３１のスイッチストライク３１ａから閉鎖確認信号が入力された場合に直ちにシャッターカーテンの閉鎖を行い、閉鎖確認信号が入力されなかった場合には、６０秒タイマをセットし、６０秒経過後に強制的にシャッターカーテンを自動閉鎖するようになっている。
【００３１】
図６は、袖扉である防火戸とシャッターカーテンとが互いに連動して動作する場合のさらに別の一例を示す図である。図５の袖扉連動動作フローでは、閉鎖確認信号が入力されなかった場合には、６０秒タイマをセットし、６０秒経過後に強制的にシャッターカーテンを自動閉鎖するが、この６０秒タイマのカウントアップ前に電動開閉用操作部７が操作された場合には、直ちにシャッターカーテンを強制的に降下させるようにした。まず、ステップ６１では、自動閉鎖装置３は待機状態にある。ステップ６２では、自動閉鎖装置３は、起動信号が入力されたか否かの判定の行い、入力された（ｙｅｓ）場合は次のステップ６３に進み、入力されない（ｎｏ）場合はステップ６１にリターンし、起動信号が入力されるまで、ステップ６１，７２の処理を繰り返し実行する。ステップ６３では、外部機器電源供給端子（２４ボルト出力端子：端子２４−０）から２４［Ｖ］の電圧を出力し、防火戸を閉鎖処理させて袖扉連動待機状態に設定すると共に６０秒タイマをスタートさせる。
【００３２】
ステップ６４では、ラッチ受け部３１のスイッチストライク３１ａから閉鎖確認信号が入力されたか否かの判定を行い、入力された（ｙｅｓ）場合は次のステップ６５に進み、入力されない（ｎｏ）場合はステップ６６に進む。ステップ６５では、ラッチ受け部３１のスイッチストライク３１ａから閉鎖確認信号が入力されたので、６０秒タイマのカウントを停止する。ステップ６６では、ラッチ受け部３１のスイッチストライク３１ａから閉鎖確認信号が入力されていないと判定されたので、６０秒タイマスタート（ステップ６３）以降に電動開閉用操作部（手閉器）７からの起動スイッチが入力されたか否かの判定を行い、入力された（ｙｅｓ）場合はステップ６７に進み、入力されていない（ｎｏ）場合はステップ６８に進む。ステップ６７では、ステップ６６で電動開閉用操作部７からの起動スイッチが入力されたと判定されたので、６０秒タイマのカウントアップを停止して、ステップ６９に進む。
【００３３】
ステップ６８では、ラッチ受け部３１のスイッチストライク３１ａから閉鎖確認信号が入力されず、かつ、電動開閉用操作部７からの起動スイッチも入力されていないと判定されたので、ステップ６３でスタートされた６０秒タイマがカウントアップしたか否かの判定を行い、カウントアップした（ｙｅｓ）場合はステップ６９に進み、カウントアップしていない（ｎｏ）場合はステップ６４にリターンし、カウントアップするまで、ステップ６４，６６，６８の処理を繰り返し実行する。ステップ６９では、防火戸１２の閉鎖によってラッチ受け部３１のスイッチストライク３１ａから閉鎖確認信号が入力されて６０秒タイマのカウントアップが停止された場合、電動開閉用操作部７からの起動スイッチが入力されて６０秒タイマのカウントアップが停止された場合、又はステップ６８で６０秒タイマがカウントアップしたと判定された場合にそれぞれ実行される処理であり、自動閉鎖装置３を起動させ、シャッターカーテンの自動閉鎖処理を実行させる。
【００３４】
図６の袖扉連動動作フローのように、６０秒タイマのカウントアップ前に電動開閉用操作部７が操作された場合には、直ちにシャッターカーテンを強制的に降下させるようにすることによって、シャッターカーテンが降下した後でも防火戸１２を手動で閉鎖可能とすることができ、防火区画を略形成することができる。また、逆にシャッターカーテンが降下した後に、防火戸１２が閉鎖することによってシャッターカーテンが壊れたりするおそれがあるので、このような場合にはシャッターカーテン閉鎖時にのみ、まぐさから突出する戸当たりを設けて防火戸１２がシャッターカーテン４に衝突しないようにしてもよい。
【００３５】
上述の実施の形態では、防火戸１２とシャッターカーテンが連動して動作する場合について説明したが、防火戸１２を手動又は電動で閉鎖させた後に、電動開閉用操作部７を用いてシャッターカーテンを電動で操作するようにしてもよい。この場合、閉鎖確認信号が入力されていない場合すなわち防火戸１２が閉鎖していない場合には、電動開閉用操作部７の押しボタンの開閉スイッチの入力を無効とし、この状態で平常時入力スイッチの開閉スイッチが入力された場合、その入力している間だけ電動開閉用操作部７の例えば電池試験表示灯（ＬＥＤ）を点灯させ、使用者に電動開閉用操作部７で操作できないこと（防火戸１２が閉鎖していないこと）を表示するようにしてもよい。また、この状態で閉鎖確認信号の入力が３秒間継続された場合、押しボタンの開閉スイッチの入力を有効とし、シャッターカーテン及び／又は防火戸１２の電動開閉動作すなわち、通常のシャッターカーテン及び／又は防火戸１２の電動動作を可能としてもよい。
【００３６】
このように、一時的にシャッターカーテン及び／又は防火戸１２の電動動作が可能になった場合に防火戸１２が開放して閉鎖確認信号の入力がなくなった場合には、電動開閉用操作部７の停止信号を１秒間程度出力してシャッターカーテンの閉鎖動作を停止し、電動開閉用操作部７の開閉スイッチを無効とすればよい。電動開閉用操作部７の電源投入時に閉鎖確認信号が入力されていなかった場合にも同様に電動開閉用操作部７の停止信号を１秒間程度出力する。
【００３７】
閉鎖確認信号が入力されていない場合すなわち防火戸１２が閉鎖していない状態で、電動開閉用操作部７の平常時操作用入力スイッチの停止スイッチが例えば５回程度（１０秒間に５回程度）操作された場合には、例えば２分間だけ、電動開閉用操作部７の平常時操作用入力スイッチを操作（入力しているあいだのみしか開閉動作しない押し切り動作に限定）して開動作や閉動作を行なえるようにしてもよい。このように閉鎖確認信号が入力されていないのに操作可能な状態を袖扉連動強制操作状態と呼ぶ。なお、２分経過後は停止出力を例えば１秒間出力し、電動開閉用操作部７の押しボタンの開閉スイッチの入力を無効とする。
【００３８】
この袖扉連動強制操作状態中に、閉鎖確認信号の入力が３秒間継続した場合には、前述と同様に平常時操作用入力スイッチの開閉スイッチの入力を有効とし、シャッターカーテンの電動開閉動作すわなち、通常のシャッターカーテンの電動動作を可能とする。また、閉鎖確認信号が入力しておらず、電動開閉用操作部７の平常時操作用入力スイッチの開閉スイッチの入力が無効状態にある場合に、防災信号、電動開閉用操作部からの起動スイッチからの信号、点検用起動スイッチからの信号、外部起動スイッチからの信号などのいずれかの信号を入力したとしても、電動開閉用操作部７の平常時操作用入力スイッチの開閉スイッチの入力は無効状態のままとし、閉鎖確認信号の入力が３秒間継続された場合だけ、平常時操作用入力スイッチの開閉スイッチの入力を有効とする。
【００３９】
上述の図５又は図６の実施の形態では、扉側が開口部の両側に存在する場合には両側の扉の自動閉鎖を実行し、その後タイマのカウントアップ処理に応じて強制的にシャッターカーテンを自動閉鎖する場合について説明したが、図５のステップ５４及び図６のステップ６４の閉鎖確認信号入力有無の判定処理において、開口部の両側に防火戸が存在する場合には、両方の閉鎖確認信号が入力された場合を閉鎖確認信号入力有と判定する。なお、いずれか一方の防火戸側から閉鎖確認信号の入力があった場合を閉鎖確認信号入力有と判定してもよい。
【００４０】
上述の実施の形態では、起動信号が入力された場合に、閉鎖確認信号が入力された場合の処理について説明したが、連動中継器は、起動信号の入力がないのに、閉鎖確認信号が入力された場合には、この防火戸１２が誤って閉鎖されたことを示す誤閉鎖信号を出力するようにしてもよい。図示していない防火戸用自動閉鎖装置を作動させる防火戸用手動閉鎖装置を設け、この防火戸用手動閉鎖装置が操作されて防火戸が閉鎖し遮蔽戸閉鎖信号があった場合には、連動中継器は起動信号入力がなくても即または所定時間後に自閉器に２４Ｖ信号を出力し、シャッターカーテンを閉鎖させるようにしてもよい。また、この防火戸用手動閉鎖装置が防火戸非常閉鎖指示の操作をされたことを連動中継器が検出し、以後、連動中継器に起動信号が入力されたときと同様の制御（ステップ５３（又はステップ６３）以降の制御）を行なうようにしてもよい。この場合は、連動中継器に起動信号を出力する電動開閉用操作部７を省略しても人為的な非常閉鎖操作が可能である。
【００４１】
火災には適さないものもあるが、開閉体としては、例えば、シャッター装置、ブラインド装置、ロールスクリーン装置、垂れ幕装置などでも防災の種類に応じて適切な装置を選択すればよい。開閉体装置をシャッター装置とした場合、開閉体手段である開閉部材は、シャッターカーテンであり、その構成は、多数の短冊状のスラット材からなるスラットカーテン、多数のパイプ材をリンク材などで連結させてなるパイプグリルカーテン、一枚状あるいは多数連結されたパネル材からなるパネルカーテン、ネット材からなるネットカーテン、合成樹脂あるいは布繊維製のシート材からなるシートカーテン、あるいはこれらの複合部材などからなる複合カーテンなどによるものである。また、開閉体手段である開閉部材の材質は、使用目的に応じたものであれば、どのようなものでもよい。具体的には、金属製、木製、プラスチック製、布製、これらの複合されたものなどで構成することができる。なお、防火目的で設置される開閉体装置の場合、少なくとも開閉体手段である開閉部材の材質は、耐火性を有しているものが好ましい。
【００４２】
上述の実施の形態では、座板スイッチのように障害物に当接することによって障害物を検出するものを例に説明したが、これ以外にテープスイッチや非当接にて障害物を検出可能なものでもよい。例えば、非当接にて障害物を検出するものとして、開閉部材の両側に赤外光の発光素子と受光素子を設け、赤外光が遮断された場合に障害物を検出するようなものなどがある。また、障害物検出手段は、開口部周辺を含む開口部に存在する障害物を検出するものである。
【符号の説明】
【００４３】
１…開閉機
２…ブレーキ
３…自動閉鎖装置
４…シャッターカーテン
５…連動中継器
７…電動開閉用操作部
９…座板スイッチ
１０…防火シャッター装置
１１…信号コード
１２…防火戸
１２１…潜り戸
１２２…ドアノブ
１２３…ドアノブ
１２４…ラッチ
１２５…伝達駆動機構
１５…感知器
１６…商用電源
１７…有線式障害物感知装置
２１…ガイドレール
２２…ガイドレール
３０…戸当たり
３１…ラッチ受け部
３１ａ…スイッチストライク
３３…ゴム材
３５…気密材
【図１】
0005416866.tif 000002
【図２】
0005416866.tif 000003
【図３】
0005416866.tif 000004
【図４】
0005416866.tif 000005
【図５】
0005416866.tif 000006
【図６】
0005416866.tif 000007